【手続補正書】
【提出日】平成18年10月23日(2006.10.23)
【手続補正１】
【補正対象書類名】特許請求の範囲
【補正対象項目名】全文
【補正方法】変更
【補正の内容】
【特許請求の範囲】
【請求項１】
放送電波を受信する複数のアンテナと、
これらアンテナで受信された各放送電波から信号成分をそれぞれ取り出す複数の受信手
段と、
前記各放送電波の受信状態を検出する受信状態検出手段と、
前記複数の受信手段により前記各放送電波から取り出された各信号成分を記憶する記憶
手段と、
前記受信状態検出手段からの検出信号に基づいて、前記各放送電波の受信品質を所定の
タイミングで判定し、該判定結果に基づいて、前記記憶手段に記憶された各信号の中から
所定条件に適合する信号を読み出す読出制御と該読出制御に対応する信号処理制御とを行
う制御手段と、
該制御手段による信号処理制御に基づいて、前記記憶手段から送られてくる信号に基づ
いて出力信号を生成する処理を行う信号処理手段とを備え、
前記制御手段が、前記記憶手段に記憶された各信号の中から受信品質が良い方のいくつ
かの信号を読み出す読出制御と、前記受信品質が良い方のいくつかの信号を加算平均して
出力信号を生成させる信号処理制御とを行うものであり、 
前記信号処理手段が、前記制御手段による信号処理制御に基づいて、前記記憶手段から
送られてくる受信品質が良い方のいくつかの信号を加算平均し、該加算平均された信号に
基づいて出力信号を生成する処理を行うものであることを特徴とする放送受信装置。
【請求項２】
放送電波を受信する複数のアンテナと、
これらアンテナで受信された各放送電波から信号成分をそれぞれ取り出す複数の受信手
段と、
前記各放送電波の受信状態を検出する受信状態検出手段と、
前記複数の受信手段により前記各放送電波から取り出された各信号成分を記憶する記憶
手段と、
前記受信状態検出手段からの検出信号に基づいて、前記各放送電波の受信品質を所定の
タイミングで判定し、該判定結果に基づいて、前記記憶手段に記憶された各信号の中から
所定条件に適合する信号を読み出す読出制御と該読出制御に対応する信号処理制御とを行
う制御手段と、
該制御手段による信号処理制御に基づいて、前記記憶手段から送られてくる信号に基づ
いて出力信号を生成する処理を行う信号処理手段とを備え、
前記制御手段が、前記記憶手段に記憶された各信号の中から受信品質が所定レベル以上
の信号を読み出す読出制御と、前記受信品質が所定レベル以上の信号を加算平均して出力
信号を生成させる信号処理制御とを行うものであり、
前記信号処理手段が、前記制御手段による信号処理制御に基づいて、前記記憶手段から
送られてくる受信品質が所定レベル以上の信号を加算平均し、該加算平均された信号に基
づいて出力信号を生成する処理を行うものであることを特徴とする放送受信装置。
【請求項３】
放送電波を受信する複数のアンテナと、
これらアンテナで受信された各放送電波から信号成分をそれぞれ取り出す複数の受信手
段と、
前記各放送電波の受信状態を検出する受信状態検出手段と、
前記複数の受信手段により前記各放送電波から取り出された各信号成分を記憶する記憶
手段と、
前記受信状態検出手段からの検出信号に基づいて、前記各放送電波の受信品質を所定の
タイミングで判定し、該判定結果に基づいて、前記記憶手段に記憶された各信号の中から
所定条件に適合する信号を読み出す読出制御と該読出制御に対応する信号処理制御とを行
う制御手段と、
該制御手段による信号処理制御に基づいて、前記記憶手段から送られてくる信号に基づ
いて出力信号を生成する処理を行う信号処理手段とを備え、
前記制御手段が、前記記憶手段に記憶された各信号の中から所定条件に適合する信号を
読み出す読出制御と、読み出された信号に受信品質に応じた重み付けを行い、該重み付け
した信号を加算平均して出力信号を生成させる信号処理制御とを行うものであり、
前記信号処理手段が、前記制御手段による信号処理制御に基づいて、前記記憶手段から
送られてくる各信号に受信品質に応じた重み付けを行い、該重み付けされた信号を加算平
均し、該加算平均された信号に基づいて出力信号を生成する処理を行うものであることを
特徴とする放送受信装置。
【請求項４】
放送電波を受信する複数のアンテナと、
これらアンテナで受信された各放送電波から信号成分をそれぞれ取り出す複数の受信手
段と、
前記各放送電波の受信状態を検出する受信状態検出手段と、
前記複数の受信手段により前記各放送電波から取り出された各信号成分を記憶する記憶
手段と、
前記受信状態検出手段からの検出信号に基づいて、前記各放送電波の受信品質を所定の
タイミングで判定し、該判定結果に基づいて、前記記憶手段に記憶された各信号の中から
所定条件に適合する信号を読み出す読出制御と該読出制御に対応する信号処理制御とを行
う制御手段と、
該制御手段による信号処理制御に基づいて、前記記憶手段から送られてくる信号に基づ
いて出力信号を生成する処理を行う信号処理手段とを備え、
前記制御手段が、前記記憶手段に記憶された各信号の中から受信品質が最も良い信号と
、受信品質が悪い方のいくつかの信号とを読み出す読出制御と、前記受信品質が悪い方の
信号に含まれるノイズ成分を検出し、該ノイズ成分を用いて、前記受信品質が最も良い信
号に含まれるノイズ成分を除去した出力信号を生成させる信号処理制御とを行うものであ
り、
前記信号処理手段が、前記制御手段による信号処理制御に基づいて、前記記憶手段から
送られてくる前記受信品質が悪い方の信号に含まれるノイズ成分を検出し、該ノイズ成分
を用いて、前記受信品質が最も良い信号に含まれるノイズ成分を除去した信号に基づいて
出力信号を生成する処理を行うものであることを特徴とする放送受信装置。
【請求項５】
放送電波を受信する複数のアンテナと、
これらアンテナで受信された各放送電波から信号成分をそれぞれ取り出す複数の受信手
段と、
前記各放送電波の受信状態を検出する受信状態検出手段と、
前記複数の受信手段により前記各放送電波から取り出された各信号成分を記憶する記憶
手段と、
前記受信状態検出手段からの検出信号に基づいて、前記各放送電波の受信品質を所定の
タイミングで判定し、該判定結果に基づいて、前記記憶手段に記憶された各信号の中から
所定条件に適合する信号を読み出す読出制御と該読出制御に対応する信号処理制御とを行
う制御手段と、
該制御手段による信号処理制御に基づいて、前記記憶手段から送られてくる信号に基づ
いて出力信号を生成する処理を行う信号処理手段とを備え、
前記制御手段が、前記記憶手段に記憶された各信号の中から受信品質が所定レベル以上
の信号と受信品質が所定レベル未満の信号とを読み出す読出制御と、前記受信品質が所定
レベル未満の信号に含まれるノイズ成分を検出し、前記受信品質が所定レベル以上の信号
を加算平均し、前記ノイズ成分を用いて、前記加算平均された信号に含まれるノイズ成分
を除去した出力信号を生成させる信号処理制御とを行うものであり、
前記信号処理手段が、前記制御手段による信号処理制御に基づいて、前記記憶手段から
送られてくる前記受信品質が所定レベル未満の信号に含まれるノイズ成分を検出し、前記
受信品質が所定レベル以上の信号を加算平均し、前記ノイズ成分を用いて前記加算平均さ
れた信号に含まれるノイズ成分を除去した信号に基づいて出力信号を生成する処理を行う
ものであることを特徴とする放送受信装置。
【請求項６】
放送電波を受信する複数のアンテナと、
これらアンテナで受信された各放送電波から信号成分をそれぞれ取り出す複数の受信手
段と、
前記各放送電波の受信状態を検出する受信状態検出手段と、
前記複数の受信手段により前記各放送電波から取り出された各信号成分を記憶する記憶
手段と、
前記受信状態検出手段からの検出信号に基づいて、前記各放送電波の受信品質を所定の
タイミングで判定し、該判定結果に基づいて、前記記憶手段に記憶された各信号の中から
所定条件に適合する信号を読み出す読出制御と該読出制御に対応する信号処理制御とを行
う制御手段と、
該制御手段による信号処理制御に基づいて、前記記憶手段から送られてくる信号に基づ
いて出力信号を生成する処理を行う信号処理手段とを備え、
前記制御手段が、前記受信品質に応じた読出制御と信号処理制御との複数の制御パター
ンを備え、これら制御パターンの中から、前記判定された受信品質に応じた読出制御と信
号処理制御とを行うものであり、
前記信号処理手段が、前記制御手段による信号処理制御に基づいて、前記受信品質に応
じた信号処理により出力信号を生成するものであることを特徴とする放送受信装置。